(57)【要約】【課題】ロータの遠心力に対する強度を向上させるとともに、保持リングにおけるシールド効果の低下による永久磁石の渦電流損の増加を抑制する。【解決手段】永久磁石（101）は、ｎ個の円筒状の分割磁石（111,111,111）によって構成され、保持リング（102）は、ｎ個の円筒状の分割リング（112,112,112）によって構成されている。ｎ個の分割リング（112,112,112）は、ｎ個の分割リング（112,112,112）の間の（ｎ−１）個の第２の空隙（S112,S112）がｎ個の分割磁石（111,111,111）の間の（ｎ−１）個の第１の空隙（S111,S111）にそれぞれ連通するように、ｎ個の分割磁石（111,111,111）の外周にそれぞれ設けられている。【選択図】図２
2014064428.tif 000002
【特許請求の範囲】
【請求項１】
ロータコア（100）と、
上記ロータコア（100）の外周に設けられた円筒状の永久磁石（101）と、
上記永久磁石（101）の外周に設けられた円筒状の保持リング（102）とを備え、
上記永久磁石（101）は、それぞれの間が第１の空隙（S111）により隔てられて上記ロータコア（100）の軸方向に並設されたｎ個の円筒状の分割磁石（111）によって構成され、
上記保持リング（102）は、それぞれの間が第２の空隙（S112）により隔てられて上記ロータコア（100）の軸方向に並設されたｎ個の円筒状の分割リング（112）によって構成され、
上記ｎ個の分割リング（112）は、該ｎ個の分割リング（112）の間の（ｎ−１）個の第２の空隙（S112）が上記ｎ個の分割磁石（111）の間の（ｎ−１）個の第１の空隙（S111）にそれぞれ連通するように、該ｎ個の分割磁石（111）の外周にそれぞれ設けられている
ことを特徴とするロータ。
【請求項２】
請求項１において、
上記分割リング（112）の軸方向長さ（L2）は、該分割リング（112）に対応する上記分割磁石（111）の軸方向長さ（L1）と異なっている
ことを特徴とするロータ。
【請求項３】
請求項２において、
上記第２の空隙（S112）の軸方向長さ（D2）は、該第２の空隙（S112）に対応する上記第１の空隙（S111）の軸方向長さ（D1）よりも長く、
上記分割リング（112）の軸方向長さ（L2）は、該分割リング（112）に対応する上記分割磁石（111）の軸方向長さ（L1）よりも短くなっている
ことを特徴とするロータ。
【請求項４】
請求項１〜３のいずれか１項において、
上記保持リング（102）の外周に設けられた円筒状の補強リング（103）をさらに備えている
ことを特徴とするロータ。
【請求項５】
請求項１〜４のいずれか１項に記載のロータ（11）と、
上記ロータ（11）が挿通されるステータ（12）とを備えている
ことを特徴とする回転電気機械。
【発明の詳細な説明】
【技術分野】
【０００１】
この発明は、回転電気機械に関し、特に、ロータ構造に関する。
【背景技術】
【０００２】
従来より、電動機（例えば、表面磁石型モータ）や発電機などの回転電気機械では、ロータ回転に伴う遠心力によって永久磁石が飛散してしまうことを防止するために、永久磁石の外周に保持リングが設けられている。このように保持リングを設けた場合、ロータの回転動作の際に保持リングに発生する渦電流損によって保持リングの温度が上昇し、その結果、保持リングの内周に設けられた永久磁石の減磁耐力が劣化してしまう可能性がある。そこで、特許文献１のロータでは、磁石破損防止リングが外装された複数の永久磁石と複数の絶縁材とを回転軸心方向に沿って交互に積層することにより、渦電流による永久磁石の温度上昇を抑えている。
【先行技術文献】
【特許文献】
【０００３】
【特許文献１】特開２００４−１８０３４９号公報
【発明の概要】
【発明が解決しようとする課題】
【０００４】
しかしながら、特許文献１のロータでは、絶縁材の外周には保持リングが設けられていないので、ロータの回転中の遠心力によって絶縁材が飛散してしまうおそれがある。そのため、ロータの遠心力に対する強度を向上させることが困難である。
【０００５】
仮に、特許文献１のロータから上記のような絶縁材を取り除き、複数の分割リング（磁石破損防止リング）および複数の分割磁石（永久磁石）を軸方向に積層することによってロータを構成する場合、分割リングおよび分割磁石の軸方向長さに寸法誤差が生じていると、分割リングの間の境界部分が、分割磁石の間の境界部分ではない部分（例えば、分割磁石の外周面の中央部分）に重なってしまうおそれがある。この場合、分割リングの間の境界部分において渦電流によるシールド効果（高調波磁束の透過を妨げようとする特性）が低下しているので、分割リングの間の境界部分の内周において分割磁石の渦電流損が増加してしまうことになる。
【０００６】
そこで、この発明は、ロータの遠心力に対する強度を向上させるとともに、保持リングにおけるシールド効果の低下による永久磁石の渦電流損の増加を抑制することが可能なロータを提供することを目的とする。
【課題を解決するための手段】
【０００７】
第１の発明は、ロータコア（100）と、上記ロータコア（100）の外周に設けられた円筒状の永久磁石（101）と、上記永久磁石（101）の外周に設けられた円筒状の保持リング（102）とを備え、上記永久磁石（101）が、それぞれの間が第１の空隙（S111）により隔てられて上記ロータコア（100）の軸方向に並設されたｎ個の円筒状の分割磁石（111）によって構成され、上記保持リング（102）が、それぞれの間が第２の空隙（S112）により隔てられて上記ロータコア（100）の軸方向に並設されたｎ個の円筒状の分割リング（112）によって構成され、上記ｎ個の分割リング（112）が、該ｎ個の分割リング（112）の間の（ｎ−１）個の第２の空隙（S112）が上記ｎ個の分割磁石（111）の間の（ｎ−１）個の第１の空隙（S111）にそれぞれ連通するように、該ｎ個の分割磁石（111）の外周にそれぞれ設けられていることを特徴とするロータである。
【０００８】
上記第１の発明では、保持リング（102）における渦電流の経路を（ｎ−１）個の第２の空隙（S112）によって分断することができるので、保持リング（102）の渦電流損を低減することができる。さらに、永久磁石（101）における渦電流の経路を（ｎ−１）個の第１の空隙（S111）によって分断することができ、保持リング（102）の（ｎ−１）個の第２の空隙（S112）が永久磁石（101）の（ｎ−１）個の第１の空隙（S111）にそれぞれ連通するように、ｎ個の分割磁石（111）およびｎ個の分割リング（112）を配置することにより、保持リング（102）においてシールド効果が低下している部分を、永久磁石（101）において渦電流の経路が分断されている部分に配置することができる。また、分割リング（112）で保持されたｎ個の分割磁石（111）の間に絶縁材（分割リング（112）で保持されていない部材）を設けなくても良い。
【０００９】
第２の発明は、上記第１の発明において、上記分割リング（112）の軸方向長さ（L2）が、該分割リング（112）に対応する上記分割磁石（111）の軸方向長さ（L1）と異なっていることを特徴とするロータである。
【００１０】
上記第２の発明では、分割リング（112）の軸方向長さ（L2）とその分割リング（112）に対応する分割磁石（111）の軸方向長さ（L1）との差によって、分割磁石（111）および分割リング（112）の軸方向長さの寸法誤差を許容することができる。すなわち、軸方向長さの寸法誤差による第１の空隙（S111）および第２の空隙（S112）の位置ずれを抑制することができる。
【００１１】
第３の発明は、上記第２の発明において、上記第２の空隙（S112）の軸方向長さ（D2）が、該第２の空隙（S112）に対応する上記第１の空隙（S111）の軸方向長さ（D1）よりも長く、上記分割リング（112）の軸方向長さ（L2）が、該分割リング（112）に対応する上記分割磁石（111）の軸方向長さ（L1）よりも短くなっていることを特徴とするロータである。
【００１２】
上記第３の発明では、保持リング（102）の第２の空隙（S112）の軸方向長さ（D2）がその第２の空隙（S112）に対応する永久磁石（101）の第１の空隙（S111）の軸方向長さ（D1）よりも長くなるように、ｎ個の分割磁石（111）およびｎ個の分割リング（112）が配置されている。
【００１３】
第４の発明は、上記第１〜第３の発明のいずれか１つにおいて、上記保持リング（102）の外周に設けられた円筒状の補強リング（103）をさらに備えていることを特徴とするロータである。
【００１４】
上記第４の発明では、ロータ（11）回転中の遠心力による保持リング（102）の飛散を防止することができる。
【００１５】
第５の発明は、上記第１〜第４の発明のいずれか１つであるロータ（11）と、上記ロータ（11）が挿通されるステータ（12）とを備えていることを特徴とする回転電気機械である。
【００１６】
上記第５の発明では、ロータ（11）の遠心力に対する強度を向上させるとともに、保持リング（102）におけるシールド効果の低下による永久磁石（101）の渦電流損の増加を抑制することができる。
【発明の効果】
【００１７】
第１の発明によれば、保持リング（102）においてシールド効果が低下している部分を、永久磁石（101）において渦電流の経路が分断されている部分に配置することができるので、保持リング（102）におけるシールド効果の低下による永久磁石（101）の渦電流損の増加を抑制することができる。また、分割リング（112）で保持されたｎ個の分割磁石（111）の間に絶縁材を設けなくても良いので、ロータ（11）の遠心力に対する強度を向上させることができる。
【００１８】
第２の発明によれば、軸方向長さの寸法誤差による第１の空隙（S111）および第２の空隙（S112）の位置ずれを抑制することができるので、保持リング（102）の（ｎ−１）個の第２の空隙（S112）が永久磁石（101）の（ｎ−１）個の第１の空隙（S111）にそれぞれ連通しているロータ（11）を容易に製造することができる。
【００１９】
第３の発明によれば、保持リング（102）の第２の空隙（S112）の軸方向長さ（D2）がその第２の空隙（S112）に対応する永久磁石（101）の第１の空隙（S111）の軸方向長さ（D1）よりも長くなっているので、永久磁石（101）の磁気性能の劣化を抑制しつつ、保持リング（102）の渦電流損を低減することができる。
【００２０】
第４の発明によれば、ロータ（11）回転中の遠心力による保持リング（102）の飛散を防止することができるので、ロータ（11）の遠心力に対する強度をさらに向上させることができる。
【００２１】
第５の発明によれば、ロータ（11）の遠心力に対する強度を向上させるとともに、保持リング（102）におけるシールド効果の低下による永久磁石（101）の渦電流損の増加を抑制することができるので、回転電気機械（10）の磁気特性の劣化を抑制することができる。
【図面の簡単な説明】
【００２２】
【図１】回転電気機械の構成例について説明するための横断面図。
【図２】回転電気機械の構成例について説明するための縦断面図。
【図３】ロータの要部について説明するための拡大図。
【図４】ロータの変形例について説明するための縦断面図。
【発明を実施するための形態】
【００２３】
以下、この発明の実施の形態を図面を参照して詳しく説明する。なお、図中同一または相当部分には同一の符号を付しその説明は繰り返さない。
【００２４】
〔回転電気機械〕
図１および図２は、この発明の実施形態による回転電気機械（10）の横断面および縦断面をそれぞれ示している。例えば、回転電気機械（10）は、空気調和機の圧縮機（図示を省略）を駆動するための電動機として用いられる。この例では、回転電気機械（10）は、表面磁石型モータ（ＳＰＭモータ）を構成している。回転電気機械（10）は、ロータ（11）と、ロータ（11）が挿通される円筒状のステータ（12）とを備え、ケーシング（30）（例えば、圧縮機のケーシング）に収容されている。ロータ（11）は、ロータコア（100）と、永久磁石（101）と、保持リング（102）とを備えている。ロータコア（100）は、駆動軸（20）に固定されている。
【００２５】
以下の説明において、「軸方向」とは、駆動軸（20）の軸心（すなわち、ロータコア（100）の回転軸の中心）の方向のことであり、「径方向」とは、駆動軸（20）の軸方向と直交する方向のことであり、「外周側」とは、駆動軸（20）の軸心からより遠い側のことであり、「内周側」とは、駆動軸（20）の軸心により近い側のことである。なお、「縦断面」とは、軸方向に沿った断面のことであり、「横断面」とは、軸方向に直交する断面のことである。
【００２６】
〈ステータ〉
ステータ（12）は、円筒状のステータコア（201）と、コイル（202）とを備えている。
【００２７】
《ステータコア》
ステータコア（201）は、電磁鋼板をプレス加工によって打ち抜いて積層板を作製し、複数の積層板を軸方向に積層することにより構成された積層コアである。ステータコア（201）は、バックヨーク部（211）と、複数のティース部（212,212,…）と、複数のツバ部（213,213,…）とを備えている。
【００２８】
バックヨーク部（211）は、ステータコア（201）の外周部に形成され、円環状に形成されている。バックヨーク部（211）の外周は、ケーシング（30）の内面に固定されている。
【００２９】
ティース部（212）は、バックヨーク部（211）の内周面から径方向に伸びる直方体状に形成されている。ティース部（212,212,…）の間には、コイル（202）が収容されるコイル用スロット（S200,S200,…）が形成されている。
【００３０】
ツバ部（213）は、ティース部（212）の内周側に連続形成されている。ツバ部（213）は、ティース部（212）よりも幅（周方向の長さ）が大きく構成され、内周側の面が円筒面に形成されている。ツバ部（213）の円筒面は、ロータ（11）の外周面（円筒面）と所定の距離（エアギャップ（G））をもって対向している。
【００３１】
《コイル》
コイル（202）は、ティース部（212）に巻回されている。すなわち、巻回されたコイル（202）は、コイル用スロット（S200）内に収容されている。これにより、ティース部（212,212,…）の各々において電磁石が形成されている。
【００３２】
〈ロータ〉
ロータ（11）は、ロータコア（100）と、永久磁石（101）と、保持リング（102）とを備えている。
【００３３】
《ロータコア》
ロータコア（100）は、円柱状に形成されている。ロータコア（100）の中心には、軸穴（110）が形成されている。軸穴（110）には、圧入などによって駆動軸（20）が固定されている。
【００３４】
《永久磁石》
永久磁石（101）は、ロータコア（100）の外周を覆うように円筒状に形成されている。例えば、永久磁石（101）は、ロータコア（100）の外周に接着されている。また、永久磁石（101）は、ｎ個（ｎは、自然数、この例では、ｎ＝３）の分割磁石（111,111,111）によって構成されている。分割磁石（111）は、円筒状に形成されている。また、分割磁石（111,111,111）は、それぞれの間が空隙（S111）（第１の空隙）により隔てられて軸方向に並設されている。例えば、分割磁石（111）は、希土類金属を用いた磁石（例えば、ネオジム鉄ボロン系の磁石など）やフェライト磁石によって構成されている。この例では、分割磁石（111,111,111）の各々は、４つの円弧状の磁石を円筒状に組み立てることによって構成されている。なお、分割磁石（111）は、円筒状に形成された１個の異方性リング磁石によって構成されたものであっても良い。
【００３５】
《保持リング》
保持リング（102）は、永久磁石（101）の外周を覆うように円筒状に形成されている。例えば、保持リング（102）は、永久磁石（101）の外周に焼き嵌めされている。また、保持リング（102）は、ｎ個（この例では、３個）の分割リング（112,112,112）によって構成されている。すなわち、分割リング（112）の分割数は、分割磁石（111）の分割数と同数である。分割リング（112）は、円筒状に形成されている。また、分割リング（112,112,112）は、それぞれの間が空隙（S112）（第２の空隙）により隔てられて軸方向に並設されている。より具体的には、分割リング（112,112,112）は、保持リング（102）の（ｎ−１）個（この例では、２個）の空隙（S112,S112）が永久磁石（101）の（ｎ−１）個の空隙（S111,S111）にそれぞれ連通するように、分割磁石（111,111,111）の外周にそれぞれ設けられている。例えば、分割リング（112）は、非磁性材料によって構成されている。
【００３６】
〈ロータの要部〉
次に、図３を参照して、ロータ（11）の要部について説明する。分割リング（112）の軸方向長さ（L2）は、その分割リング（112）に対応する分割磁石（111）（より具体的には、その分割リング（112）の内周に設けられた分割磁石（111））の軸方向長さ（L1）と異なるように構成されている。この例では、分割リング（112）の軸方向長さ（L2）は、分割磁石（111）の軸方向長さ（L1）よりも短くなっている。また、保持リング（102）の空隙（S112）の軸方向長さ（D2）は、その空隙（S112）に対応する永久磁石（101）の空隙（S111）（より具体的には、その空隙（S112）と連通する空隙（S111））の軸方向長さ（D1）と異なっている。この例では、空隙（S112）の軸方向長さ（D2）は、空隙（S111）の軸方向長さ（D1）よりも長くなっている。
【００３７】
永久磁石（101）の軸方向長さ（すなわち、分割磁石（111,111,111）の軸方向長さ（L1,L1,L1）と空隙（S111,S111）の軸方向長さ（D1,D1）の合計）は、ロータコア（100）の軸方向長さ（L0）と同一になっている。また、保持リング（102）の軸方向長さ（すなわち、分割リング（112,112,112）の軸方向長さ（L2,L2,L2）と空隙（S112,S112）の軸方向長さ（D2,D2）の合計）も、ロータコア（100）の軸方向長さ（L0）と同一になっている。
【００３８】
〈保持リングの渦電流損〉
保持リング（102）の渦電流損が多くなるほど、保持リング（102）の温度上昇量が多くなる。例えば、ロータ（11）の回転速度が高速になるほど、ロータ（11）の回転中に発生する保持リング（102）の渦電流損が多くなる。そして、保持リング（102）の温度上昇量が多くなるほど、保持リング（102）から永久磁石（101）へ伝達される熱量が増加するので、永久磁石（101）の温度が高くなり、磁石性能の保持力が低下するため、ステータ（12）による逆磁界に対する減磁耐力が劣化する。このように、保持リング（102）の渦電流損が多くなるほど、回転電気機械（10）の磁気特性が劣化してしまうことになる。
【００３９】
〈永久磁石の渦電流損〉
一方、保持リング（102）における渦電流が少なくなるほど、保持リング（102）の渦電流損は少なくなるが、保持リング（102）において渦電流によるシールド効果（高調波磁束の透過を妨げようとする特性）が低下するので、保持リング（102）の内周に配置された永久磁石（101）に発生する渦電流が増加することになる。また、永久磁石（101）の渦電流損が多くなるほど、永久磁石（101）の温度が高くなるので、永久磁石（101）の減磁耐力が劣化する。このように、永久磁石（101）の渦電流損が多くなるほど、回転電気機械（10）の磁気特性が劣化してしまうことになる。
【００４０】
〈効果〉
この実施形態による回転電気機械（10）では、保持リング（102）を構成する分割リング（112,112,112）の間が空隙（S112,S112）により隔てられているので、保持リング（102）における渦電流の経路を空隙（S112,S112）によって分断することができる。これにより、保持リング（102）の渦電流損を低減することができる。さらに、永久磁石（101）を構成する分割磁石（111,111,111）の間が空隙（S111,S111）により隔てられているので、永久磁石（101）における渦電流の経路を空隙（S111,S111）によって分断することができる。そして、保持リング（102）の空隙（S112,S112）が永久磁石（101）の空隙（S111,S111）にそれぞれ連通するように、分割磁石（111,111）および分割リング（112,112）を配置することにより、保持リング（102）においてシールド効果（保持リング（102）の渦電流によるシールド効果）が低下している部分を、永久磁石（101）において渦電流の経路が分断されている部分（すなわち、渦電流が発生しにくい部分）に配置する（重ね合わせる）ことができる。これにより、保持リング（102）におけるシールド効果の低下による永久磁石（101）の渦電流損の増加を抑制することができる。
【００４１】
また、分割リング（112,112,112）で保持された分割磁石（111,111,111）の間に絶縁材（分割リング（112,112,112）で保持されていない部材）を設けなくても良いので、ロータ（11）の遠心力に対する強度を向上させることができる。
【００４２】
以上のように、ロータ（11）の遠心力に対する強度を向上させるとともに、保持リング（102）におけるシールド効果の低下による永久磁石（101）の渦電流損の増加を抑制することができるので、回転電気機械（10）の磁気特性の劣化を抑制することができる。
【００４３】
また、分割リング（112）の軸方向長さ（L2）がその分割リング（112）に対応する分割磁石（111）の軸方向長さ（L1）と異なるように、分割磁石（111,111,111）および分割リング（112,112,112）が構成されているので、分割磁石（111）の軸方向長さ（L1）と分割リング（112）の軸方向長さ（L2）との差によって、分割磁石（111）および分割リング（112）の軸方向長さの寸法誤差を許容することができる。すなわち、軸方向長さの寸法誤差による永久磁石（101）の空隙（S111,S111）および保持リング（102）の空隙（S112,S112）の位置ずれを抑制することができる。そのため、保持リング（102）の空隙（S112,S112）が永久磁石（101）の空隙（S111,S111）にそれぞれ連通するように、分割磁石（111,111,111）および分割リング（112,112,112）を容易に配置することができる。これにより、保持リング（102）の空隙（S112,S112）が永久磁石（101）の空隙（S111,S111）にそれぞれ連通しているロータ（11）を容易に製造することができる。
【００４４】
なお、保持リング（102）の空隙（S112,S112）の軸方向長さ（D2,D2）が長くなるほど、保持リング（102）の渦電流損が小さくなる。一方、永久磁石（101）の空隙（S111,S111）の軸方向長さ（D1,D1）が短くなるほど、永久磁石（101）の磁気性能の劣化が小さくなる。したがって、分割リング（112）の軸方向長さ（L2）がその分割リング（112）に対応する分割磁石（111）の軸方向長さ（L1）よりも短くなるように、分割磁石（111,111,111）および分割リング（112,112,112）を構成し、保持リング（102）の空隙（S112）の軸方向長さ（D2）がその空隙（S112）に対応する永久磁石（101）の空隙（S111）の軸方向長さ（D1）よりも長くなるように、分割磁石（111,111,111）および分割リング（112,112,112）を配置することにより、永久磁石（101）の磁気性能の劣化を抑制しつつ、保持リング（102）の渦電流損を低減することができる。
【００４５】
〔ロータの変形例〕
図４のように、ロータ（11）は、図１および図２に示した構成に加えて、円筒状に形成された補強リング（103）を備えていても良い。補強リング（103）は、保持リング（12）の外周に設けられている。例えば、補強リング（103）は、炭素繊維強化プラスチック（CFRP）によって構成されている。なお、この例では、補強リング（103）の軸方向長さは、ロータコア（100）の軸方向長さ（L0）と同一になっている。
【００４６】
以上のように構成することにより、ロータ（11）回転中の遠心力による保持リング（102）の飛散を防止することができるので、ロータ（11）の遠心力に対する強度をさらに向上させることができる。また、ロータ（11）の遠心力に対する強度を維持しながら保持リング（102）の厚み（径方向幅）を薄くすることができるので、ロータ（11）を軽量化することができる。
【００４７】
〔分割リングおよび分割磁石の変形例〕
なお、分割リング（112）の軸方向長さ（L2）がその分割リング（112）に対応する分割磁石（111）の軸方向長さ（L1）よりも長くなるように、分割磁石（111,111,111）および分割リング（112,112,112）を構成し、保持リング（102）の空隙（S112）の軸方向長さ（D2）がその空隙（S112）に対応する永久磁石（101）の空隙（S111）の軸方向長さ（D1）よりも短くなるように、分割磁石（111,111,111）および分割リング（112,112,112）を配置しても良い。このように構成した場合も、分割磁石（111,111,111）および分割リング（112,112,112）の軸方向長さの寸法誤差による永久磁石（101）の空隙（S111,S111）および保持リング（102）の空隙（S112,S112）の位置ずれを抑制することができるので、保持リング（102）の空隙（S112,S112）が永久磁石（101）の空隙（S111,S111）にそれぞれ連通しているロータ（11）を容易に製造することができる。
【００４８】
〔ロータコアの変形例〕
また、ロータコア（100）は、円柱状ではなく、多角柱状（例えば、四角柱状）に形成されても良い。この場合、分割磁石（111）は、複数のかまぼこ状の磁石（例えば、ロータコア（100）が四角柱状に形成されている場合は、４個のかまぼこ状の磁石）を円筒状に組み立てることによって構成されていても良い。
【００４９】
〔その他の実施形態〕
以上の説明では、回転電気機械（10）が電動機を構成している場合を例に挙げたが、回転電気機械（10）は、発電機を構成するものであっても良い。
【００５０】
また、以上の実施形態を適宜組み合わせて実施しても良い。以上の実施形態は、本質的に好ましい例示であって、本発明、その適用物、あるいはその用途の範囲を制限することを意図するものではない。
【産業上の利用可能性】
【００５１】
以上説明したように、上述の回転電気機械は、空気調和機の圧縮機を駆動するための電動機などとして有用である。
【符号の説明】
【００５２】
１０          回転電気機械
２０          駆動軸
３０          ケーシング
１１          ロータ
１２          ステータ
１００        ロータコア
１０１        永久磁石
１０２        保持リング
１０３        補強リング
１１１        分割磁石
Ｓ１１１      空隙（第１の空隙）
１１２        分割リング
Ｓ１１２      空隙（第２の空隙）
２０１        ステータコア
２０２        コイル
２１１        バックヨーク部
２１２        ティース部
２１３        ツバ部
【図１】
2014064428.tif 000003
【図２】
2014064428.tif 000004
【図３】
2014064428.tif 000005
【図４】
2014064428.tif 000006